(57)【特許請求の範囲】
【請求項１】
後方からハウジングに収容した端子金具を、リテーナによって抜け止めするコネクタであって、
前記ハウジングには、前記リテーナを装着するためのリテーナ装着部が外方に開口して設けられ、また、前記端子金具を収容するキャビティが、隔壁により仕切られて複数設けられており、
前記隔壁のうち前記リテーナ装着部にあたる部分は、前記リテーナの装着方向に切り欠かれた切欠部とされ、
前記リテーナには、前記切欠部に嵌合して前記隔壁の一部分を構成する壁構成部が設けられ、
前記壁構成部には、前記切欠部内に圧入されることで前記隔壁のうち前記切欠部内において前後方向に対向する面に潰れた状態で接触して前記壁構成部と前記隔壁との間の前後方向の隙間を埋める壁間用リブが、突出して設けられているコネクタ。
【請求項２】
前記リテーナは、前記リテーナ装着部の開口に嵌合する開口嵌合部を有し、
前記開口嵌合部には、前記開口内に圧入されることで前記開口の周縁部に潰れた状態で接触して前記開口嵌合部と前記開口の周縁部との間の隙間を埋める開口用リブが、突出して設けられている請求項１に記載のコネクタ。
【請求項３】
前記壁間用リブおよび前記開口用リブは、ともに前記リテーナの後面に設けられ、
前記開口用リブは、前記壁間用リブの前記開口嵌合部側の端部に繋がって設けられている請求項２に記載のコネクタ。
【請求項４】
前記壁構成部および前記隔壁のうち、前記リテーナの装着方向に対向する面には、互いに嵌合する凹凸嵌合部が設けられている請求項１ないし請求項３のいずれか一項に記載のコネクタ。
【請求項５】
前記リテーナは、前記ハウジングの外面に係止する係止部を有し、
前記係止部には、前記ハウジングに対する係止を解除するための係止解除用治具の先端を引っ掛けることが可能な係止解除操作部が設けられている請求項１ないし請求項４のいずれか一項に記載のコネクタ。
【請求項６】
前記壁間用リブの幅寸法は、前記壁構成部の壁厚寸法よりも小さくされている請求項１ないし請求項５のいずれか一項に記載のコネクタ。
【請求項７】
前記開口用リブのうち前記リテーナの装着方向の先端面は、先方から後方に向かって少しずつ突出する傾斜をなすリブ案内面とされている請求項２ないし請求項６のいずれか一項に記載のコネクタ。
【発明の詳細な説明】
【技術分野】
【０００１】
本発明は、端子金具の抜止めを図るリテーナを備えたコネクタに関する。
【背景技術】
【０００２】
従来より、ハウジングに収容した端子金具を、リテーナによって抜け止めするコネクタが知られている。例えば特許文献１に記載のコネクタにおいては、ハウジングには、端子金具を収容するキャビティが、隔壁により仕切られて複数設けられ、また、リテーナを装着するためのリテーナ装着部が、外方に開口して設けられている。そして、ハウジングの隔壁には、リテーナ装着部にあたる部分をリテーナの装着方向に切り欠いてなる切欠部が形成され、リテーナには、切欠部に嵌合して隔壁の一部分を構成する壁構成部が設けられている。
【先行技術文献】
【特許文献】
【０００３】
【特許文献１】特開２００３−７３８４号公報
【発明の概要】
【発明が解決しようとする課題】
【０００４】
ところで、上記のような構成のコネクタが、潤滑油等の油中で使用されると、油中に浮遊する鉄粉等の異物が、ハウジング内に侵入する虞があり、ハウジング内に侵入した異物は、リテーナとハウジングとの間に存在する隙間に蓄積する虞がある。そして、壁構成部の前後（端子金具の挿入方向における前後）の隙間に異物が蓄積すると、本来、隔壁で仕切られるべき端子金具にわたって異物が付着しやすく、端子金具の短絡を招く虞があるので対策が望まれていた。
【０００５】
本発明は上記のような事情に基づいて完成されたものであって、異物混入による端子金具間の短絡を防止することが可能なコネクタを提供することを目的とする。
【課題を解決するための手段】
【０００６】
本発明のコネクタは、後方からハウジングに収容した端子金具を、リテーナによって抜け止めするコネクタであって、前記ハウジングには、前記リテーナを装着するためのリテーナ装着部が外方に開口して設けられ、また、前記端子金具を収容するキャビティが、隔壁により仕切られて複数設けられており、前記隔壁のうち前記リテーナ装着部にあたる部分は、前記リテーナの装着方向に切り欠かれた切欠部とされ、前記リテーナには、前記切欠部に嵌合して前記隔壁の一部分を構成する壁構成部が設けられ、前記壁構成部には、前記切欠部内に圧入されることで前記隔壁のうち前記切欠部内において前後方向に対向する面に潰れた状態で接触して前記壁構成部と前記隔壁との間の前後方向の隙間を埋める壁間用リブが、突出して設けられている。このような構成によれば、リテーナの壁構成部の前後の隙間を介して、異物が端子金具にわたって付着することを防止でき、もって異物混入による端子金具間の短絡を防止することができる。
【０００７】
また、前記リテーナは、前記リテーナ装着部の開口に嵌合する開口嵌合部を有し、前記開口嵌合部には、前記開口内に圧入されることで前記開口の周縁部に潰れた状態で接触して前記開口嵌合部と前記開口の周縁部との間の隙間を埋める開口用リブが、突出して設けられているものとしてもよい。このような構成によれば、開口の周縁部とリテーナの開口嵌合部との間の前後の隙間から、異物がハウジング内に侵入することを防ぐことができる。
【０００８】
また、前記壁間用リブおよび前記開口用リブは、ともに前記リテーナの後面に設けられ、前記開口用リブは、前記壁間用リブの前記開口嵌合部側の端部に繋がって設けられているものとしてもよい。このような構成によれば、壁間用リブの外側に異物が蓄積して、端子金具が短絡することを防止することができる。
【０００９】
また、前記壁構成部および前記隔壁のうち、前記リテーナの装着方向に対向する面には、互いに嵌合する凹凸嵌合部が設けられているものとしてもよい。このような構成によれば、壁構成部および隔壁のリテーナの装着方向に対向する面を伝って隣り合うキャビティの間を行き来する距離が長くなるから、この面の間において異物が端子金具にわたって付着することを抑制することができる。
【００１０】
また、前記リテーナは、前記ハウジングの外面に係止する係止部を有し、前記係止部には、前記ハウジングに対する係止を解除するための係止解除用治具の先端を引っ掛けることが可能な係止解除操作部が設けられているものとしてもよい。
【００１１】
また、前記壁間用リブの幅寸法は、前記壁構成部の壁厚寸法よりも小さくされているものとしてもよい。このような構成によれば、壁間用リブの幅寸法が、例えば壁構成部と同等の幅寸法を有する場合に比べ、リテーナ装着部へのリテーナの挿入抵抗を小さく抑えることができる。
【００１２】
また、前記開口用リブのうち前記リテーナの装着方向の先端面は、先方から後方に向かって少しずつ突出する傾斜をなすリブ案内面とされているものとしてもよい。このような構成によれば、リテーナ装着部にリテーナを装着する際に、開口用リブが引っ掛かりにくいから、スムーズにリテーナを組み付けることができる。
【発明の効果】
【００１３】
本発明によれば、異物混入による端子金具間の短絡を防止することが可能なコネクタを提供することができる。
【図面の簡単な説明】
【００１４】
【図１】本実施形態におけるコネクタの側面図
【図２】コネクタの前面図
【図３】コネクタの下面図
【図４】ハウジングの側面図
【図５】ハウジングの後面図
【図６】ハウジングの下面図
【図７】リテーナの外観斜視図
【図８】リテーナの前面図
【図９】リテーナの後面図
【図１０】リテーナの上面図
【図１１】リテーナが仮係止位置に保持された状態のコネクタの断面図であって、図１のＡ−Ａ位置における断面に相当する断面図
【図１２】リテーナが仮係止位置に保持された状態のコネクタの断面図であって、図２のＢ−Ｂ位置における断面に相当する断面図
【図１３】リテーナが仮係止位置に保持された状態のコネクタの断面図であって、図２のＣ−Ｃ位置における断面に相当する断面図
【図１４】リテーナが本係止位置に保持された状態のコネクタの断面図であって、図１のＡ−Ａ位置における断面に相当する断面図
【図１５】リテーナが本係止位置に保持された状態のコネクタの断面図であって、図２のＢ−Ｂ位置における断面に相当する断面図
【図１６】リテーナが本係止位置に保持された状態のコネクタの断面図であって、図２のＣ−Ｃ位置における断面に相当する断面図
【発明を実施するための形態】
【００１５】
＜実施形態＞
以下、本発明を具体化した一実施形態について、図１〜図１６を参照しつつ詳細に説明する。
本実施形態におけるコネクタＣは、端子金具（図示せず）を収容可能なハウジング１０と、このハウジング１０に組み付けられて端子金具の抜止めを図るリテーナ２０とを備えて構成されている。以下、各構成部材において、図１の左側を前方、右側を後方とし、また上側を上方、下側を下方として説明する。
【００１６】
ハウジング１０は合成樹脂材からなり、その内部には後方から端子金具を挿抜可能な複数（本実施形態では６室）のキャビティ１１が、隔壁１２に仕切られて横一列に並んで形成されている。各キャビティ１１内には、正規位置に挿入された端子金具を一次係止するためのランス１３が形成されている。
【００１７】
ハウジング１０には、リテーナ２０を装着するためのリテーナ装着部１４が設けられている。リテーナ装着部１４は、ハウジング１０の下面からキャビティ１１に貫通形成され、下方からリテーナ２０を挿抜可能とされている。リテーナ装着部１４は、ランス１３の後側に設けられ、すべてのキャビティ１１に連通している。リテーナ装着部１４は、ハウジング１０の下方および両側方（幅方向の外方）に開放されている（図４参照）。ハウジング１０の下面に形成されたリテーナ装着部１４の開口は、ハウジング１０の幅方向に細長い略長方形をなしている（図６参照）。開口の周縁部１５は、開口の前側に延びる前側端面１５Ａと、後側に延びる後側端面１５Ｂとを有している。前側端面１５Ａは、上下方向に平坦な面（ハウジング１０の下面に垂直な面）であり、後側端面１５Ｂは、ハウジング１０の下面に垂直な面と、傾斜する面とからなる。詳しくは、後側端面１５Ｂの上側部分が垂直面、下側部分が傾斜面であって、この傾斜面は下方に向かって開口を広げる向きに傾斜する面である。
【００１８】
キャビティ１１を仕切る隔壁１２のうちリテーナ装着部１４にあたる部分は、リテーナ２０の装着方向に（下方から上方に向かって）切り欠かれた切欠部１６とされている（図１２参照）。以後、隔壁１２のうち切欠部１６より前側の部分を前側隔壁１２Ａ、後側の部分を後側隔壁１２Ｂ、上側の部分を上側隔壁１２Ｃと称する。前側隔壁１２Ａの後面と後側隔壁１２Ｂの前面（切欠部１６に臨む面）とは、互いに略平行をなして対向する平坦な面であり、ハウジング１０の下面に垂直をなしている。前側隔壁１２Ａ、後側隔壁１２Ｂおよび上側隔壁１２Ｃの壁厚寸法は等しくされている。
【００１９】
ハウジング１０の両外側面（ハウジング１０の幅方向における両端面）には、後述するリテーナ２０の係止部２２が嵌合する係止嵌合部１７が設けられている。係止嵌合部１７は、ハウジング１０の外側面の一部分を凹ませてなる部分であり、リテーナ装着部１４の両端と連なっている（図６参照）。係止嵌合部１７は、リテーナ装着部１４よりも前側と後側とに突出する幅寸法を有し、前側に突出する部分の方が後側よりも大きくされている。係止嵌合部１７の前端面と後端面とは、ハウジング１０の外側面に対して傾斜をなす第１前斜端面１７Ａおよび第１後斜端面１７Ｂとされている。第１前斜端面１７Ａおよび第１後斜端面１７Ｂは、それぞれ外側から内側へ向かって前方および後方に向かう傾斜をなしている。
【００２０】
係止嵌合部１７には、仮係止突起１８と本係止突起１９とが突設されている（図４参照）。仮係止突起１８および本係止突起１９は、係止嵌合部１７のうちリテーナ装着部１４よりも前側の部分に設けられ、仮係止突起１８より上側に本係止突起１９が設けられている。仮係止突起１８と本係止突起１９とは、同等の幅寸法（前後方向の寸法）を有し、上下に重なる位置に配されている。仮係止突起１８および本係止突起１９の突出寸法は、ともに係止嵌合部１７の凹み寸法の半分程度とされ、また仮係止突起１８の突出寸法が本係止突起１９の突出寸法より若干大きくされている（図５参照）。
【００２１】
リテーナ２０は、リテーナ装着部１４の開口から上方（下面に対して垂直方向）に差し込まれ、端子金具の挿抜を許容する仮係止位置（図１３参照）と、端子金具を抜け止め状態に係止する本係止位置（図１６参照）との間を移動可能とされている。
リテーナ２０は合成樹脂材により成形され、リテーナ装着部１４の開口に嵌合する本体部（開口嵌合部）２１と、ハウジング１０の外側面に係止する係止部２２とを有している（図７参照）。
【００２２】
本体部２１は、リテーナ装着部１４の開口の形状に沿った、横方向に細長い略長方形の板状をなしている。本体部２１は、リテーナ２０が本係止位置に保持されると、リテーナ装着部１４の開口に嵌まって開口を塞ぎ、その下面がハウジング１０の下面と面一状になる。
【００２３】
本体部２１の上面には、隔壁１２の切欠部１６に嵌合して隔壁１２の一部分を構成する壁構成部２３が設けられている。壁構成部２３は、隔壁１２と同ピッチで複数設けられ、それぞれ各隔壁１２に対応した位置に形成されている。壁構成部２３は、本体部２１の前端から後端にわたって設けられ、前後方向の寸法は、切欠部１６の前後方向の寸法と同等か若干小さくされている。壁構成部２３の幅寸法は、前端部および後端部においては、それぞれ端面に向かって小さくなり、それ以外の部分においては、隔壁１２の幅寸法と同等で一定とされている。また壁構成部２３の高さ寸法は、全体にわたり一定とされている。なお、本体部２１の両端には、ハウジング１０の外壁の一部分を構成する外壁構成部２４が設けられており（図１４参照）、外壁構成部２４は、壁構成部２３を幅方向に２分割した形態をなしている（図１０参照）。
【００２４】
本体部２１のうち隣り合う壁構成部２３の間の部分は、各端子金具に係止してその抜け止めを図る抜止め部２５とされている。各抜止め部２５は、リテーナ２０が仮係止位置にあるときには各キャビティ１１から退避し、リテーナ２０が本係止位置にあるときには各キャビティ１１に進入する。なお、抜止め部２５の後端縁部には、後方に向かって下がる傾斜面２５Ａが形成されている。
【００２５】
本体部２１の前側面は、図８に示すように、全体として平坦な面とされ、すなわち壁構成部２３の前側面、本体部２１の前側面、および後述する凸嵌合部３３Ａの前端面が、その境界に段差のない平坦な面を構成している。壁構成部２３の前側面および凸嵌合部３３Ａの前端面は、前側隔壁１２Ａの後面に面当たりし、本体部２１の前側面は、開口の前側端面１５Ａに面当たりする。
【００２６】
係止部２２は、本体部２１の幅方向における両端に設けられている（図７参照）。係止部２２は、本体部２１から上方に立ち上がるとともに本体部２１から前後に突出した板状をなしている。係止部２２の厚さ寸法は、係止嵌合部１７の凹み寸法と同等とされ、係止部２２が係止嵌合部１７に嵌合した状態では、係止部２２の外側面（本体部２１とは反対側の板面）が、ハウジング１０の外側面と同じ面に位置する（図３参照）。また、リテーナ２０が本係止位置に保持されているときには、係止部２２の最上端縁が、係止嵌合部１７の上端縁に近接して配される（図１参照）。
【００２７】
係止部２２の内側面（本体部２１側の板面）には、仮係止突起１８または本係止突起１９に係止可能な係止凹部２６が形成されている。係止凹部２６は、本体部２１よりも前側の部分に、一定の凹み寸法を有して形成されている。係止凹部２６は、内方から見ると上下方向に長い長方形状をなし、その下端は係止部２２の下端と一致し、係止部２２の下方に開放されている。係止凹部２６の幅寸法（前後方向の寸法）は、仮係止突起１８および本係止突起１９の前後方向の寸法と同等である。リテーナ２０が仮係止位置に至ったときには、係止凹部２６の上面２６Ａが仮係止突起１８に係止し、リテーナ２０が本係止位置に至ったときには、係止凹部２６の上面２６Ａが本係止突起１９に係止する。なお、係止部２２は、外壁構成部２４に連続している。
【００２８】
係止部２２の上端寄りの位置には、リテーナ２０が仮係止位置に保持されているときに、本係止突起１９の下面に沿う傾斜をなす係止案内面２７が設けられている（図１１参照）。
係止部２２の前端面と後端面とは、係止部２２の板面に対して傾斜をなす第２前斜端面２２Ａおよび第２後斜端面２２Ｂとされている（図１０参照）。第２前斜端面２２Ａおよび第２後斜端面２２Ｂは、それぞれ外側から内側へ向かって前方および後方に向かう傾斜をなし、その勾配は、第１前斜端面１７Ａおよび第１後斜端面１７Ｂの勾配と同等とされている（図３参照）。
【００２９】
係止部２２には、ハウジング１０に対する係止を解除するための係止解除用治具（図示せず）の先端を引っ掛けることが可能な係止解除操作部２８が設けられている。係止解除操作部２８は、係止部２２の角部に長方形状の切欠きを形成することで設けられた端面からなり、上下方向に延びる端面（縦端面２８Ａと称する）と、前後方向に延びる端面（横端面２８Ｂと称する）とが垂直に交差してなる（図１参照）。係止解除操作部２８は、係止部２２の上端部における後側部分（本体部２１の上方部分）に形成され、横端面２８Ｂは、係止案内面２７よりも下方に位置し、係止凹部２６の上面２６Ａと略水平位置に並んでいる。縦端面２８Ａおよび横端面２８Ｂは、ハウジング１０の外側面に垂直をなしている。リテーナ２０が本係止位置に保持された状態では、図１に示すように、ハウジング１０の係止嵌合部１７のうち係止解除操作部２８に囲われた部分が露出し、係止解除操作部２８と係止嵌合部１７の上縁との間には、係止解除用治具の先端を差し入れるのに十分なスペースが確保される。
【００３０】
リテーナ２０の壁構成部２３には、後側隔壁１２Ｂに接触して、壁構成部２３と隔壁１２との間の前後方向の隙間を埋める壁間用リブ３０が、突出して設けられている。壁間用リブ３０は、全ての壁構成部２３の後面（壁構成部２３および隔壁１２のうち前後方向に対向する面の一方）に突出して設けられ、その突出寸法は一定とされている。壁間用リブ３０の突出寸法は、壁構成部２３の前後の隙間、すなわち壁構成部２３と前側隔壁１２Ａ、および壁構成部２３と後側隔壁１２Ｂの間の隙間を埋めることが可能な寸法とされている。また、壁間用リブ３０の突出端面（後面）は、丸く形成されている。壁間用リブ３０の幅寸法は、壁構成部２３の壁厚寸法よりも小さくされている。壁間用リブ３０は、壁構成部２３の幅方向中央位置において上下方向に直線状に延びている（図９参照）。壁間用リブ３０の上端は、壁構成部２３の上面よりも上方に至り、後述する凸嵌合部３３Ａの後端に連なっている。また、壁間用リブ３０の下端は、本体部２１の下面に近い位置（本体部２１の上下方向の中央位置）付近に達している。
【００３１】
リテーナ２０の本体部２１には、開口の周縁部１５に接触して、本体部２１と開口の周縁部１５との間の隙間を埋める開口用リブ３１が突出して設けられている。開口用リブ３１は、本体部２１の後面（本体部２１および開口の周縁部１５のうち前後方向に対向する面の一方）の全幅に延びて設けられ、その両端は係止部２２の内面に連なっている。開口用リブ３１は、その全長にわたり同じ断面形状をなし、その断面形状は台形状とされている（図１３参照）。開口用リブ３１は、本体部２１の上下方向の中間位置から下面に至る範囲に設けられている。開口用リブ３１の上面（リテーナ２０の装着方向の先端面）は、上方から下方に向かって少しずつ突出する傾斜をなすリブ案内面３２とされ、壁間用リブ３０の下端（本体部２１側の端部）と繋がっている（図７参照）。開口用リブ３１の突出端面（後面）は、本体部２１の下面に垂直をなし、開口用リブ３１の下面は、本体部２１の下面と面一状をなしている。なお、開口用リブ３１および壁間用リブ３０の突出寸法は同等とされている。
【００３２】
リテーナ２０の壁構成部２３とハウジング１０の隔壁１２とには、互いに嵌合する凹凸嵌合部３３が設けられている。凹凸嵌合部３３は、壁構成部２３の上面に設けられた凸嵌合部３３Ａと、上側隔壁１２Ｃの下面に設けられた凹嵌合部３３Ｂとにより構成されている（図１４参照）。
【００３３】
凸嵌合部３３Ａは、前後方向に直線状に延びて設けられ、壁構成部２３の前端から後端に至る長さ寸法を有している（図１０参照）。凸嵌合部３３Ａは、壁構成部２３の幅方向中央に位置し、その幅寸法は、壁構成部２３の幅寸法の３分の１またはそれよりも若干小さい程度とされ、壁間用リブ３０の幅寸法と同等とされている。凸嵌合部３３Ａの突出寸法は全長にわたり一定とされ、その突出端面（上面）は丸く形成されている。
【００３４】
凹嵌合部３３Ｂは、凸嵌合部３３Ａの外形に沿うように上方に凹み形成されている。凹嵌合部３３Ｂは、前後方向に直線状に延びて設けられ、上側隔壁１２Ｃの前端から後端に至る長さ寸法を有している（図６参照）。凹嵌合部３３Ｂは、上側隔壁１２Ｃの幅方向の中央に形成され、凹み面は丸く形成されている。
【００３５】
次に、リテーナ２０の取り付けおよび取り外し作業について説明する。
まず、リテーナ２０を仮係止位置に保持する。リテーナ２０をリテーナ装着部１４の開口に差し入れると、図１２に示すように、壁間用リブ３０が後側隔壁１２Ｂの前面に当接し、これによりリテーナ２０が前方に押されて壁構成部２３の前面が前側隔壁１２Ａの後面に当接する。このとき壁間用リブ３０は若干潰れた状態になっている。そして、リテーナ２０の係止部２２が仮係止突起１８に係止した状態になり、リテーナ２０が仮係止位置に保持される。
【００３６】
その後、各キャビティ１１に端子金具を挿入し、すべての端子金具を挿入し終えたら、リテーナ２０をさらに上方へ押し込む。すると係止部２２の係止案内面２７が本係止突起１９の下面に当接し、係止部２２は、係止案内面２７の傾斜に案内されて本係止突起１９にスムーズに乗り上げていく。また、開口用リブ３１のリブ案内面３２が開口の後側端面１５Ｂに接触し、このリブ案内面３２の傾斜により本体部２１が少しずつ前方に押される。そして、本体部２１の前側の隙間が少しずつ詰められ、本体部２１の前面が開口の前側端面１５Ａに突き当たり、やがて開口用リブ３１の突出端面が開口の後側端面１５Ｂに接触した状態になる。このとき開口用リブ３１は若干潰れた状態になっている。また、上側隔壁１２Ｃと壁構成部２３とが接近し、凹凸嵌合部３３が嵌合し始める。そして、リテーナ２０が本係止位置に至ると、係止部２２の上端部が本係止突起１９を乗り越えて係止凹部２６の上面２６Ａが本係止突起１９に係止し、また、凹凸嵌合部３３が完全に嵌合した状態（凸嵌合部３３Ａの略全体が凹嵌合部３３Ｂに嵌った状態）になる。
【００３７】
そして、本係止位置に保持されたリテーナ２０を取り外すには、係止解除用治具の先端を縦端面２８Ａと横端面２８Ｂとが交差する角部に突き当ててこじる。すると、係止部２２の上端部がハウジング１０の外側に浮き、係止凹部２６の上面２６Ａと本係止突起１９との係止が解除される。この解除操作を係止部２２毎に行い、リテーナ２０をハウジング１０から取り外す。
【００３８】
上記のように構成された実施形態によれば、以下の効果を奏する。
本実施形態のコネクタＣは、後方からハウジング１０に収容した端子金具を、リテーナ２０によって抜け止めするコネクタＣであって、ハウジング１０には、リテーナ２０を装着するためのリテーナ装着部１４が外方に開口して設けられ、また端子金具を収容するキャビティ１１が、隔壁１２により仕切られて複数設けられており、隔壁１２のうちリテーナ装着部１４にあたる部分は、リテーナ２０の装着方向に切り欠かれた切欠部１６とされ、リテーナ２０には、切欠部１６に嵌合して隔壁１２の一部分を構成する壁構成部２３が設けられ、壁構成部２３の後面には、後側隔壁１２Ｂに接触して壁構成部２３と隔壁１２との間の前後方向の隙間を埋める壁間用リブ３０が、突出して設けられている。これにより、リテーナ２０の壁構成部２３の前後の隙間を介して、異物が端子金具にわたって付着することを防止でき、もって異物混入による端子金具間の短絡を防止することができる。
【００３９】
また、リテーナ２０は、リテーナ装着部１４の開口に嵌合する本体部２１を有し、本体部２１の後面には、開口の後側端面１５Ｂに接触して本体部２１と開口の周縁部１５との間の隙間を埋める開口用リブ３１が、突出して設けられている。これにより、開口の周縁部１５とリテーナ２０の本体部２１との間の前後の隙間から、異物がハウジング１０内に侵入することを防ぐことができる。
【００４０】
また、開口用リブ３１は、壁間用リブ３０の下側の端部に繋がって設けられているから、壁間用リブ３０の外側に異物が蓄積して隣り合うキャビティ１１間に跨り、端子金具が短絡することを防止することができる。
【００４１】
また、壁構成部２３の上面および上側隔壁１２Ｃの下面には、互いに嵌合する凹凸嵌合部３３が設けられている。これにより、壁構成部２３の上面と上側隔壁１２Ｃの下面とを伝って隣り合うキャビティ１１の間を行き来する距離が長くなるから、この面の間において異物が端子金具にわたって付着することを抑制することができる。
【００４２】
また、リテーナ２０は、ハウジング１０の外面に係止する係止部２２を有し、係止部２２には、ハウジング１０に対する係止を解除するための係止解除用治具の先端を引っ掛けることが可能な係止解除操作部２８が設けられている。ここで、例えば係止解除操作部を、リテーナの本体部に開口を設けることで形成する場合には、この開口が異物の侵入口になりやすく、特に開口がキャビティに連通している場合には、キャビティ内に異物が容易に入り込みやすい。しかしながら、本実施形態では、係止解除操作部２８が、ハウジング１０の外側面に係止する係止部２２に形成され、すなわちキャビティ１１と連通しない位置に設けられているから、前述のような異物の侵入を防ぐことができる。
【００４３】
また、壁間用リブ３０は、リテーナ２０に設けられ、壁間用リブ３０の幅寸法は、壁構成部２３の壁厚寸法よりも小さくされている。これにより、例えば壁間用リブの幅寸法が、壁構成部と同等の幅寸法を有する場合に比べ、リテーナ装着部１４へのリテーナ２０の挿入抵抗を小さく抑えることができ、もってスムーズにリテーナ２０を取り付けることができる。
【００４４】
また、リテーナ２０は、リテーナ装着部１４の開口に嵌合する本体部２１を有し、本体部２１には、開口の周縁部１５に接触して本体部２１と開口の周縁部１５との間の隙間を埋める開口用リブ３１が突出して設けられ、開口用リブ３１のうち上面（リテーナ２０の装着方向の先端面）は、先方から後方に向かって少しずつ突出する傾斜のリブ案内面３２とされている。これにより、リテーナ装着部１４にリテーナ２０を装着する際に、開口用リブ３１が引っ掛かりにくいから、スムーズにリテーナ２０を組み付けることができる。
【００４５】
＜他の実施形態＞
本発明は上記記述及び図面によって説明した実施形態に限定されるものではなく、例えば次のような実施形態も本発明の技術的範囲に含まれる。
【００４６】
（２）上記実施形態では、ハウジング１０にはキャビティ１１が１段のみ形成されているが、本発明は、ハウジングに複数段のキャビティが設けられているコネクタにも適用することができる。
【００４７】
（３）上記実施形態では、壁間用リブ３０および開口用リブ３１は、リテーナ２０の後側面に設けられているが、これに限らず、壁間用リブおよび開口用リブをリテーナの前側面に設けてもよい。
（４）上記実施形態では、開口用リブ３１は、壁間用リブ３０の下側の端部に繋がって設けられているが、これに限らず、例えば開口用リブを、壁間用リブの下方に離れた位置に設けてもよく、また壁間用リブの間の位置に間欠的に設けてもよい。
【００４８】
（５）上記実施形態では、凹凸嵌合部３３は、壁構成部２３の上面に設けられた凸嵌合部３３Ａと、上側隔壁１２Ｃの下面に設けられた凹嵌合部３３Ｂとにより構成されているが、これとは逆に、壁構成部の上面に凹嵌合部を、上側隔壁の下面に凸嵌合部を設けてもよい。
（６）上記実施形態では、係止解除操作部２８は、係止部２２の角部に長方形状の切欠きを形成することで設けられているが、これに限らず、例えば、係止部の一部分に開口を形成することで設けてもよい。
【符号の説明】
【００４９】
Ｃ…コネクタ
１０…ハウジング
１１…キャビティ
１２…隔壁
１４…リテーナ装着部
１５…開口の周縁部
１６…切欠部
２０…リテーナ
２１…本体部（開口嵌合部）
２２…係止部
２３…壁構成部
２８…係止解除操作部
３０…壁間用リブ
３１…開口用リブ
３２…リブ案内面
３３…凹凸嵌合部
【図１】
0005582349.tif 000002
【図２】
0005582349.tif 000003
【図３】
0005582349.tif 000004
【図４】
0005582349.tif 000005
【図５】
0005582349.tif 000006
【図６】
0005582349.tif 000007
【図７】
0005582349.tif 000008
【図８】
0005582349.tif 000009
【図９】
0005582349.tif 000010
【図１０】
0005582349.tif 000011
【図１１】
0005582349.tif 000012
【図１２】
0005582349.tif 000013
【図１３】
0005582349.tif 000014
【図１４】
0005582349.tif 000015
【図１５】
0005582349.tif 000016
【図１６】
0005582349.tif 000017